(57)【要約】【課題】穀桿の搬送効率に優れるフィーダハウスを備えたコンバインを提供する。  【解決手段】複数の第１プレート（１４Ｌ）を所定間隔置きに有する第１フィーダチェン（１２Ｌ，１２Ｌ）と、複数の第２プレート（１４Ｒ）を所定間隔置きに有する第２フィーダチェン（１２Ｒ，１２Ｒ）を備えることにより解決される。【選択図】図５
2014033625.tif 000002
【特許請求の範囲】
【請求項１】
刈取前処理装置（４）から脱穀装置（３）へ向けて穀稈を搬送するフィーダハウス（５０）を備えたコンバインであって、
前記フィーダハウス（５０）の後部における左右一側に軸架された第１駆動輪（５６Ｌ，５６Ｌ）と、
フィーダハウス（５０）の後部における左右他側に軸架され、第１駆動輪（５６Ｌ，５６Ｌ）よりも低い周速で駆動される第２駆動輪（５６Ｒ，５６Ｒ）と、
複数の第１プレート（１４Ｌ）を所定間隔置きに有し、前記第１駆動輪（５６Ｌ，５６Ｌ）とフィーダハウス（５０）の前部に備える第１従動輪（５７Ｌ，５７Ｌ）に掛け回された第１フィーダチェン（１２Ｌ，１２Ｌ）と、
複数の第２プレート（１４Ｒ）を所定間隔置きに有し、前記第２駆動輪（５６Ｒ，５６Ｒ）とフィーダハウス（５０）の前部に備える第２従動輪（５７Ｒ，５７Ｒ）に掛け回された第２フィーダチェン（１２Ｒ，１２Ｒ）を備えたことを特徴とするコンバイン。
【請求項２】
前記第２駆動輪（５６Ｒ，５６Ｒ）を軸着した第２駆動軸（５６Ｂ）を筒状に形成し、前記第１駆動輪（５６Ｌ，５６Ｌ）を軸着した第１駆動軸（５６Ａ）を、第２駆動軸（５６Ｂ）内を貫通して設け、前記第１駆動軸（５６Ａ）の第２駆動軸（５６Ｂ）側の端部に設けられた減速ギヤ（１９）を介して、前記第１駆動軸（５６Ａ）の回転を減速して第２駆動軸（５６Ｂ）に伝動する構成とした請求項１記載のコンバイン。
【請求項３】
前記第２プレート（１４Ｒ）における第１プレート（１４Ｌ）側の端部に、穀桿を切断する切断刃（１５）を装着した請求項１または２記載のコンバイン。
【請求項４】
前記脱穀装置（３）の扱胴（６５）の前部に搬送螺旋（６５Ａ）の外周よりも外方に延設した掻込み棒（６５Ｃ）を設けた請求項１〜３のいずれか１項に記載のコンバイン。
【請求項５】
前記フィーダハウス（５０）における穀稈搬送方向中間部の上面に、該フィーダハウス（５０）内に空気を供給する正回転状態と、前記フィーダハウス（５０）内の空気を外部に排出する逆回転状態とに切り換え可能な吸塵ファン（５２）を装着した請求項１〜４のいずれか１項に記載のコンバイン。
【発明の詳細な説明】
【技術分野】
【０００１】
本発明は、フィーダハウスを備えたコンバインに係るものである。
【背景技術】
【０００２】
従来、脱穀装置に穀桿を搬送する刈取前処理装置のフィーダハウスの後部に軸架された駆動軸への穀桿の絡まりを防止するために、駆動軸に軸着された左右一対のスプロケットの間と、該左右一対のスプロケットとフィーダハウスの両側壁の間に巻付防止用カラーを配置した構造が提案されている。（特許文献１参照）。
【先行技術文献】
【特許文献】
【０００３】
【特許文献１】特開２００５−８７０６４号公報
【発明の概要】
【発明が解決しようとする課題】
【０００４】
しかし、従来のフィーダハウスにあっては、フィーダハウス内を搬送される穀稈がフィーダチェンに絡まり、フィーダチェンがスプロケットから外れる虞があることから、定期的にフィーダハウスの駆動を停止してスプロケット等に絡んだ穀桿を除去する必要があるために作業効率が低いという問題があった。
そこで、本発明の主たる課題は、かかる問題点を解消することにある。
【課題を解決するための手段】
【０００５】
上記課題を解決した本発明は次記のとおりである。
請求項１に係る発明は、刈取前処理装置（４）から脱穀装置（３）へ向けて穀稈を搬送するフィーダハウス（５０）を備えたコンバインであって、
前記フィーダハウス（５０）の後部における左右一側に軸架された第１駆動輪（５６Ｌ，５６Ｌ）と、フィーダハウス（５０）の後部における左右他側に軸架され、第１駆動輪（５６Ｌ，５６Ｌ）よりも低い周速で駆動される第２駆動輪（５６Ｒ，５６Ｒ）と、複数の第１プレート（１４Ｌ）を所定間隔置きに有し、前記第１駆動輪（５６Ｌ，５６Ｌ）とフィーダハウス（５０）の前部に備える第１従動輪（５７Ｌ，５７Ｌ）に掛け回された第１フィーダチェン（１２Ｌ，１２Ｌ）と、複数の第２プレート（１４Ｒ）を所定間隔置きに有し、前記第２駆動輪（５６Ｒ，５６Ｒ）とフィーダハウス（５０）の前部に備える第２従動輪（５７Ｒ，５７Ｒ）に掛け回された第２フィーダチェン（１２Ｒ，１２Ｒ）を備えたことを特徴とするコンバインである。
【０００６】
請求項２に係る発明は、前記第２駆動輪（５６Ｒ，５６Ｒ）を軸着した第２駆動軸（５６Ｂ）を筒状に形成し、前記第１駆動輪（５６Ｌ，５６Ｌ）を軸着した第１駆動軸（５６Ａ）を、第２駆動軸（５６Ｂ）内を貫通して設け、前記第１駆動軸（５６Ａ）の第２駆動軸（５６Ｂ）側の端部に設けられた減速ギヤ（１９）を介して、前記第１駆動軸（５６Ａ）の回転を減速して第２駆動軸（５６Ｂ）に伝動する構成とした請求項１記載のコンバインである。
【０００７】
請求項３に係る発明は、前記第２プレート（１４Ｒ）における第１プレート（１４Ｌ）側の端部に、穀桿を切断する切断刃（１５）を装着した請求項１または２記載のコンバインである。
【０００８】
請求項４に係る発明は、前記脱穀装置（３）の扱胴（６５）の前部に搬送螺旋（６５Ａ）の外周よりも外方に延設した掻込み棒（６５Ｃ）を設けた請求項１〜３のいずれか１項に記載のコンバインである。
【０００９】
請求項５に係る発明は、前記フィーダハウス（５０）における穀稈搬送方向中間部の上面に、該フィーダハウス（５０）内に空気を供給する正回転状態と、前記フィーダハウス（５０）内の空気を外部に排出する逆回転状態とに切り換え可能な吸塵ファン（５２）を装着した請求項１〜４のいずれか１項に記載のコンバインである。
【発明の効果】
【００１０】
請求項１記載の発明によれば、複数の第１プレート（１４Ｌ）を所定間隔置きに有し、第１駆動輪（５６Ｌ，５６Ｌ）とフィーダハウス（５０）の前部に備える第１従動輪（５７Ｌ，５７Ｌ）に掛け回された第１フィーダチェン（１２Ｌ，１２Ｌ）と、複数の第２プレート（１４Ｒ）を所定間隔置きに有し、第１駆動輪（５６Ｌ，５６Ｌ）よりも低い周速で駆動される第２駆動輪（５６Ｒ，５６Ｒ）とフィーダハウス（５０）の前部に備える第２従動輪（５７Ｒ，５７Ｒ）に掛け回された第２フィーダチェン（１２Ｒ，１２Ｒ）を備えているので、丈の長い穀桿は、異なる速度で移動する第１プレート（１４Ｌ）と第２プレート（１４Ｒ）によって引きちぎられて短くなり、フィーダチェンや駆動軸、従動軸等への穀稈の絡まりを防止することができる。
【００１１】
請求項２記載の発明によれば、上記請求項１記載の発明の効果に加えて、第２駆動軸（５６Ｂ）を筒状に形成し、第１駆動軸（５６Ａ）を、第２駆動軸（５６Ｂ）内を貫通して設けているので、第１駆動軸（５６Ａ）及び第２駆動軸（５６Ｂ）への穀稈の絡み付きを防止することができる。
【００１２】
請求項３記載の発明によれば、上記請求項２記載の発明に加えて、第２プレート（１４Ｒ）の第１プレート（１４Ｌ）側の端部に、穀桿を切断する切断刃（１５）を装着しているので、丈の長い穀桿を切断刃（１５）で容易に切断することができる。
【００１３】
請求項４記載の発明によれば、上記請求項１〜３記載の発明の効果に加えて、脱穀装置（３）の扱胴（６５）の前部に搬送螺旋（６５Ａ）の外周よりも外方に延設した掻込み棒（６５Ｃ）を設けているので、フィーダハウス（５０）から脱穀装置（３）に穀桿を効率的に取り込むことができる。
【００１４】
請求項５記載の発明によれば、上記請求項１〜４記載の発明の効果に加えて、フィーダハウス（５０）に、空気の吸排気を行なう吸塵ファン（５２）を装着しているので、フィーダハウス（５０）内の粉塵を除去することができる。
【図面の簡単な説明】
【００１５】
【図１】キャビンを装着した汎用コンバインの平面図である。
【図２】キャビンを装着した汎用コンバインの右側面図である。
【図３】キャビンを取外した汎用コンバインの左側面図である。
【図４】キャビンを装着した汎用コンバインの背面図である。
【図５】フィーダハウスの送り装置の要部底面図である。
【図６】（ａ）は刃の取付け部の拡大左側面図であり、（ｂ）は刃の取付け部の拡大底面図であり、（ｃ）は刃の取付け部の拡大背面図である。
【発明を実施するための形態】
【００１６】
以下、本発明の実施形態について添付図面を参照しつつ詳説する。なお、理解を容易にするために便宜的に方向を示して説明しているが、これらにより構成が限定されるものではない。
【００１７】
コンバインは、図１〜４に示すように、機体フレーム１の下方には土壌面を走行するための左右一対のクローラからなる走行装置２が設けられ、機体フレーム１の上方左側には脱穀・選別を行う脱穀装置３が設けられ、脱穀装置３の前方には圃場の穀桿を収穫する刈取前処理装置４が設けられている。脱穀装置３で脱穀・選別された穀粒は脱穀装置３の右側に設けられたグレンタンク５に貯留され、貯留された穀粒は排出筒７により外部へ排出される。また、機体フレーム１の上方右側には操作者が搭乗する操作席６Ａを備えたキャビン６が設けられている。
【００１８】
（刈取前処理装置）
刈取前処理装置４は、図１〜３に示すように、掻込み装置２０と、オーガ装置３０と、横刈刃装置４０と、フィーダハウス５０から構成されている。なお、刈取前処理装置４は本実施形態に限定されることはなく、用途に合わせ縦刈刃装置、搬送装置等の他の装置を組込むこともできる。
【００１９】
掻込み装置２０は、倒伏した穀桿、大豆、そば等の丈の低い穀桿、及び油菜、菜の花等の丈の高い穀桿をオーガ装置３０に掻込む装置であり、オーガ装置３０の約全幅に亘ってオーガ装置３０の上側前方に設けられている。
掻込み装置２０は、リール支持アーム２３と、リール支持アーム２３の前部に回転自在に支持されたリール中心軸２２に軸着された側面視において略六角形状に形成された掻込みリール２１から構成されている。
掻込みリール２１は、六箇所の各隅部に横方向に所定間隔で複数のリールタイン２４が吊下げられたタイン支持杆２５を有し、リール支持アーム２３の基部は、オーガフレーム３１の後板に設けられた支持部材２６に回転自在に支持され、リール支持アーム２３の中間部には、リール支持アーム２３を上下方向に昇降させる油圧シリンダ等の昇降装置２７が設けられている。なお、昇降装置２７の後部は、オーガフレーム３１の側壁に回転自在に支持されている。
【００２０】
リール支持アーム２３の後部に回転自在に支持された中心軸２８に装着されたスプロケットと、リール支持アーム２３の前部に回転自在に支持されたリール中心軸２２に装着されたスプロケットにはチェン２９が巻き掛けられており、中心軸２８に伝動されたエンジンの駆動は、チェン２９を介してリール中心軸２２に伝動され掻込みリール２１を回転させる。
【００２１】
オーガ装置３０は、フィーダハウス５０の前方に汎用コンバインの約全幅に亘って設けられている。オーガ装置３０は、掻込み装置２０で掻込まれた穀桿を左側下部に形成された送込口３２の前方に寄せ集めてフィーダハウス５０に移送する装置である。
オーガ装置３０のオーガフレーム３１は、左右一対の側壁と、側壁の後部を連結する後板と、後側の側壁と後板の下部を連結するテーブルによって構成されている。また、側壁の前端部には圃場の穀桿を分ける分草体３９，３９が設けられており、テーブルの前端部には横刈刃装置４０が設けられている。
【００２２】
側壁は、側面視において略多角形状に形成されており、側壁の上端部は前部から後部に後上がり傾斜し、側壁の下端部は前部から中間部に亘り略水平に形成され、中間部から後部に亘り下方に円弧状に突出して形成されている。
後板は、正面視において略長方形に形成され、テーブルは側面視において前部は略水平に形成され、後部は下方に円弧状に突出して形成されている。
なお、オーガフレーム３１は、鋼材からなる側壁と、後板と、テーブルを溶接により一体形成することもでき、また、一枚の鋼材を切断・折曲げにより一体形成することもできる。さらに、側壁等の形状は、上述の形状に限定されることはなく用途に合わせ任意の形状に形成することができる。
【００２３】
掻込みオーガ３３は、左右の一対の側壁に軸架された駆動軸３４に軸着されている。また、掻込みオーガ３３の外周には、移送されてきた穀桿を送込口３２の前方に寄せ集めるために、右側に向かって傾斜した搬送螺旋が設けられ、送込口３２の前方での穀桿の滞留を防止するために、送込口３２の前方に位置する掻込みオーガ３３の外周には掻込みフィンガー３６が設けられている。
【００２４】
横刈刃装置４０は、掻込み装置２０で掻込まれた穀桿の株元を切断する装置であり、オーガ装置３０のテーブルの前端部に設けられ、側面視において前部から後上がり傾斜している。
横刈刃装置４０は、固定状態の横下刃４２と、横下刃４２を支持する横刈刃プレート４３と、横下刃４２と横刈刃プレート４３によって形成された隙間を左右方向に往復摺動する横上刃４１から構成されている。なお、横刈刃装置４０は、本実施形態に限定されることはなく、藁屑の堆積を防止する為に、左側に位置する横上刃と右側に位置する横上刃を夫々別体に形成し、左側の横上刃と右側の横上刃を互いに反対方向に往復摺動させる構成とすることもできる。
【００２５】
フィーダハウス５０は、前方のオーガ装置３０と後方の脱穀装置３との間に配置され、掻込みオーガ３３の回転により送込口３２の前方に寄せ集められた稲、麦、大豆、そば等の穀桿を脱穀装置３に搬送する装置である。
【００２６】
フィーダハウス５０の前後方向の中間部には、枠体５１に内装されたネット（図示省略）に付着した茎、埃等を除去するために、吸塵ファン５２が設けられている。この吸塵ファン５２が設けられていることで、後述の切断刃１５により穀稈を切断する際に発生する塵埃を効率的に除去し、フィーダハウス５０での穀稈搬送効率、脱穀装置３での選別効率を高めることができる。
【００２７】
フィーダハウス５０の枠体５１の後部には、エンジンの回転が伝動されるプーリ１７を支持する駆動軸（第１駆動軸）５６Ａが軸架され、駆動軸５６Ａの右側部には、ベアリングを介して駆動軸５６Ａを嵌挿する中空形状の駆動軸（第２駆動軸）５６Ｂが設けられている。駆動軸５６Ａに伝動されたエンジンの回転は、複数のギヤから構成される減速ギヤ１９で減速された後に駆動軸５６Ｂに伝動される。また、フィーダハウス５０の枠体５１の前部には、従動軸５７が軸架されている。
駆動軸５６Ａの左側に偏移した部位には左右一対のスプロケット（第１駆動輪）５６Ｌ，５６Ｌが軸着され、従動軸５７の左側に偏移した部位には左右一対のスプロケット（第１従動輪）５７Ｌ，５７Ｌが軸着されている。
駆動軸５６Ｂには左右一対のスプロケット（第２駆動輪）５６Ｒ，５６Ｒが軸着され、従動軸５７には左右一対のスプロケット（第２従動輪）５７Ｒ，５７Ｒが軸着されている。
【００２８】
スプロケット５６Ｌ，５６Ｌとスプロケット５７Ｌ，５７Ｌには、それぞれフィーダチェン（第１フィーダチェン）１２Ｌ，１２Ｌが掛け回され、スプロケット５６Ｒ，５６Ｒとスプロケット５７Ｒ，５７Ｒには、それぞれフィーダチェン（第２フィーダチェン）１２Ｒ，１２Ｒが掛け回されている。
【００２９】
フィーダチェン１２Ｌ，１２Ｌには、略Ｌ字の断面形状を有する複数の左側プレート（第１プレート）１４Ｌが所定の間隔を設けて装着され、フィーダチェン１２Ｒ，１２Ｒには、図５に示すように、略Ｌ字の断面形状を有する複数の右側プレート（第２プレート）１４Ｒが所定の間隔を設けて装着されている。また、各右側プレート１４Ｒの左側部には、図６に示すように、フィーダハウス５０内を搬送される穀桿を切断して駆動軸５６Ａ，５６Ｂ等への絡まりを防止するために、前側部に傾斜刃を形成した切断刃１５が装着されている。なお、図５の矢印は、左右側プレート１４Ｌ，Ｒの移動方向を示し、矢印長さ左右側プレート１４Ｌ，Ｒの相対速度を示しており、本実施形態の場合には、左側プレート１４Ｌが右側プレート１４Ｒよりも速く後方に向かって移動している。
【００３０】
プーリ１７を介して駆動軸５６Ａに伝導されたエンジンの回転は、枠体５１の右壁から右側へ突出する駆動軸５６Ａの右端部に設けられた低速キヤ１９によって低速回転とされた後に駆動軸５６Ｂに伝導される。そのため、図５に示すように、駆動軸５６Ａに支持されたスプロケット５６Ｌ，５６Ｌと従動軸５７に支持されたスプロケット５７Ｌ，５７Ｌに掛け回された左側プレート１４Ｌは、駆動軸５６Ｂに支持されたスプロケット５６Ｒ，５６Ｒと従動軸５７に支持されたスプロケット５７Ｒ，５７Ｒに掛け回された右側プレート１４Ｒよりも高速で後方に移動し、左側プレート１４Ｌと、右側プレート１４Ｒに亘って載置された丈の長い穀桿は、右側プレート１４Ｒの左端部に装着された切断刃１５によって切断されて駆動軸５６Ａ，５６Ｂ、従動軸５７等への絡まりを防止している。
なお、本実施形態にあっては、左側プレート１４Ｌを右側プレート１４Ｒよりも高速で後方に移動させているが、右側プレート１４Ｒを左側プレート１４Ｌよりも高速で移動させる構成とすることもできる。
【００３１】
（脱穀装置）
脱穀装置３は、図３に示すように、上部に穀稈の脱穀を行う扱室６０を備え、扱室６０の下側に脱穀された穀粒の選別を行なう選別室６１を備えている。
扱室６０には、前部に投入された穀稈を後方に搬送する搬送螺旋６５Ａを有し、中間部から後部にかけて複数の扱歯６５Ｂを有する扱胴６５が前後壁に軸架された扱胴軸に回転自在に支持されている。また、搬送螺旋６５Ａには、フィーダハウス５０から投入された穀桿の滞留を防止するために、搬送螺旋６５Ａの外周よりも外側に延設した掻込み棒６５Ｃが設けられている。
【００３２】
選別室６１の上部には、揺動選別装置６２が設けられ、選別室６１の下部には揺動選別装置６２の前部のシーブに空気を送風する第一唐箕６３Ａと、揺動選別装置６２から漏下する穀粒を回収する一番受樋６３Ｂと、揺動選別装置から漏下する枝梗等が付着した穀粒を回収する二番受樋６３Ｃとが前側から順に設置されている。一番受樋６３Ｂで回収された穀粒は、一番受樋６３Ｂに内装された一番移送螺旋によってグレンタンク５に移送され、二番受樋６３Ｃで回収された穀粒等は、二番受樋６３Ｃに内装された二番移送螺旋によって二番処理室に移送される。
【００３３】
（コンデンサ）
グレンタンク５の後方に設けられた排出筒７の上下方向に延設する部位を覆う排出筒カバー７０の上面の排出筒７の左側には、図４等に示すように、キャビン６の下方のエンジンルーム８に配置されたエンジンの冷却水を冷却するラジエータの冷却効率を高めるために、コンデンサ７１Ａが装着されている。
【００３４】
コンデンサ７１Ａの左側には、コンデンサ７１Ａに付着した埃等を除去するために、機体フレーム１から上方に向かって立設されたコンデンサフレーム７２に回転自在に支持されたコンデンサ用ファン７１Ｂが設けられている。また、コンデンサ用ファン７１Ｂは、フィーダハウス５０に装着された吸塵ファン５２と同期して正・逆回転駆動する。
【００３５】
コンデンサフレーム７２は、剛性を高めるために、排出筒カバー７０が装着された機体フレーム１から上方に向かって立設された排出筒フレーム７３と上下２本のフレーム７４によって連結されている。また、排出筒７の上下方向に延設する部位の上端部には、排出筒７に付着した雨水、埃等のコンデンサ７１Ａへの落下を防止するために、後下がり傾斜した天板７５が設けられている。
【産業上の利用可能性】
【００３６】
本発明は、汎用コンバインの刈取前処理装置に利用できるものである。
【符号の説明】
【００３７】
３      脱穀装置
４      刈取前処理装置
１２Ｌ  フィーダチェン（第１フィーダチェン）
１２Ｒ  フィーダチェン（第２フィーダチェン）
１４Ｌ  左側プレート（第１プレート）
１４Ｒ  右側プレート（第２プレート）
１５    切断刃
１９    低速ギヤ
５０    フィーダハウス
５２    吸塵ファン
５６Ａ  駆動軸（第１駆動軸）
５６Ｂ  駆動軸（第２駆動軸）
５６Ｌ  スプロケット（第１駆動輪）
５６Ｒ  スプロケット（第２駆動輪）
５７    従動軸
５７Ｌ  スプロケット（第１従動輪）
５７Ｒ  スプロケット（第２従動輪）
６５    扱胴
６５Ａ  搬送螺旋
６５Ｃ  掻込み棒
【図１】
2014033625.tif 000003
【図２】
2014033625.tif 000004
【図３】
2014033625.tif 000005
【図４】
2014033625.tif 000006
【図５】
2014033625.tif 000007
【図６】
2014033625.tif 000008